(57)【要約】【課題】電池で動作して、低消費電流のスリープ状態を挟んで間欠的に無線通信を行う場合でも、直流電圧変換方式の電源回路における無駄な消費電力を抑止する。【解決手段】ＣＰＵ１３で、スリープ状態の期間において電源回路１１を制御して直流電圧変換動作および動作電源の供給を停止させ、無線通信動作状態の期間において電源回路１１を制御して直流電圧変換動作および動作電源の供給を行わせ、スリープ電源回路１４で、スリープ状態の期間にＣＰＵ１３に対して当該スリープ動作に必要なスリープ動作電源を供給する。【選択図】  図１
2011055186.tif 000002
【特許請求の範囲】
【請求項１】
電池から供給された電池電圧を直流電圧変換し、得られた動作電源を供給する電源回路と、
前記電源回路からの動作電源で動作して無線電波を送信する無線回路と、
前記無線回路を制御して無線通信動作を行う無線通信処理部と、この無線通信動作状態と当該無線通信動作を停止して低消費電流で動作するスリープ動作を行うスリープ状態とを間欠的に切替制御する動作状態制御部と、当該スリープ状態の期間において前記電源回路を制御して前記直流電圧変換動作および前記動作電源の供給を停止させ、前記無線通信動作状態の期間において前記電源回路を制御して前記直流電圧変換動作および前記動作電源供給を行わせる電源制御部とを有するＣＰＵと、
前記スリープ状態の期間に前記ＣＰＵに対して当該スリープ動作に必要なスリープ動作電源を供給するスリープ電源回路と
を備えることを特徴とする間欠動作無線装置。
【請求項２】
請求項１に記載の間欠動作無線装置において、
前記スリープ電源回路は、前記無線通信動作状態の期間に前記電源回路から供給された前記動作電源を蓄電し、前記前記動作電源の停止に応じて当該蓄電電源を前記スリープ動作電源として供給する容量素子からなる
ことを特徴とする間欠動作無線装置。
【請求項３】
請求項１に記載の間欠動作無線装置において、
前記スリープ電源回路は、前記スリープ状態の期間を示す前記ＣＰＵからの制御信号に応じて導通し、前記電池から供給された電池電源を前記スリープ動作電源として供給するトランジスタを含む
ことを特徴とする間欠動作無線装置。
【発明の詳細な説明】
【技術分野】
【０００１】
本発明は、無線技術に関し、特に間欠的に動作する無線装置の消費電力を削減するための省電力無線技術に関する。
【背景技術】
【０００２】
センサ機能を有する複数の無線装置（ノード）からなる無線センサネットワークでは、発生した事象を各無線装置で検出し、無線装置と管理装置との無線通信を介して、各無線装置で検出した事象を管理装置が収集するシステムである。
このような無線センサネットワークが適用されるアプリケーションには、水道，電気，ガスの検針、プラント，工場，建物の設備定期検査、火災，地震，有害ガスなどの緊急通報、不審者進入監視のためのセキュリティシステム、架橋披露破壊の診断検査などのアプリケーションのように、数ヶ月に１回、長いものでは数年に１回程度の頻度で事象が発生する場合がある。このため、事象駆動型の無線センサネットワークが望ましい。
【０００３】
このようなアプリケーションでは、無線装置の動作電源として商用電源を利用することも考えられるが、設置環境によっては商用電源を利用できないケースがあるとともに、商用電源利用時のランニングコストも高いことから、無線装置の動作電源として電池を利用することが望ましい。
しかしながら、広範囲に配置された複数の無線装置について頻繁に電池交換するのは、多くの作業負担を要し、保守コストの増大にもなる。このため、無線装置での消費電力を削減する必要がある。特に、各ノードでは、無線通信期間に応じて消費電力が変化するため、間欠的に設けた無線通信期間で事象情報を効率よく転送することが望ましい。
【０００４】
従来、このような無線装置として、センサ回路と無線回路とを間欠動作させ、このうち非動作時には、電池からセンサ回路と無線回路への電源供給を停止するとともに、ＣＰＵを低消費電流で動作するスリープ状態へ移行させることにより、無線装置での消費電力を低減する技術が提案されている（例えば、特許文献１など参照）。
【先行技術文献】
【特許文献】
【０００５】
【特許文献１】特開２００４−３５５１６４号公報
【非特許文献】
【０００６】
【非特許文献１】"HIGH EFFICIENCY, 250-mA STEP-DOWN CHARGE PUMP", "TPS60500, TPS60501, TPS60502, TPS60503", SLVS391B - OCTOBER 2001 - REVISED FEBRUARY 2002, Texas Instruments Incorporated.
【発明の概要】
【発明が解決しようとする課題】
【０００７】
前述したようなアプリケーションで用いられる無線装置では、無線回路における無線通信動作時の消費電流が数１０ｍＡ程度で、その動作時間が数ミリ秒程度ある。また、ＣＰＵは、数秒から数分間隔でスリープ状態から復帰して、無線回路により無線通信動作を行い、再びスリープ状態へ移行する。この際、スリープ状態では、ＣＰＵと無線回路の動作は停止しているが、ＣＰＵでは、ＣＰＵ内部のＲＡＭメモリでのデータ保持や、スリープ状態からの復帰タイミングを計時するためのタイマなどの回路部において、数μＡ程度の僅かな電流が必要となる。
【０００８】
一方、電池から供給される電池電圧は、ＣＰＵや無線回路の動作電圧と異なる場合が多く、電池の残留電力の減少に応じて電池電圧も低下する。したがって、電池で動作する無線装置では、入力電圧値の許容範囲が広い、ＤＣ／ＤＣコンバータやＤＣ／ＤＣレギュレータ（チャージポンプ）など、電池から供給された電池電圧を直流電圧変換し、得られた動作電源を供給する電源回路が用いられる。
【０００９】
このような直流電圧変換方式の電源回路は、出力電流がある程度大きい場合には変換効率がよいが、出力電流として僅かな電流しか流れない場合、変換効率が大幅低下する。例えば、数μＡ程度の出力電流を供給するためには、数十μＡ以上の入力電流、すなわち零入力電流（Quiescent Current）が必要となる。
したがって、従来の無線装置によれば、スリープ状態で消費される電流値が小さいほど、電源回路で無駄な電力消費が発生して、その電池の寿命が短くなるため、直流電圧変換方式の電源回路を用いないほうが、電池寿命は長くなってしまうという問題点があった。
【００１０】
例えば、一般的な電池を用いた無線装置において、スリープ電流が２μＡのスリープ状態を挟んで、６０秒の間欠動作周期で間欠的に無線通信を行うケースでは、直流電圧変換方式の電源回路を用いない場合、平均消費電力は７．２μＷとなり、電池寿命は９年である。これに対して、零入力電流が１００μＡの直流電圧変換方式の電源回路を用いた場合、平均消費電力が３０２μＷに増加し、電池寿命は０．２年に短縮されてしまう。
【００１１】
本発明はこのような課題を解決するためのものであり、電池で動作して、低消費電流のスリープ状態を挟んで間欠的に無線通信を行う場合でも、直流電圧変換方式の電源回路における無駄な消費電力を抑止できる省電力無線技術を提供することを目的としている。
【課題を解決するための手段】
【００１２】
このような目的を達成するために、本発明にかかる間欠動作無線装置は、電池から供給された電池電圧を直流電圧変換し、得られた動作電源を供給する電源回路と、電源回路からの動作電源で動作して無線電波を送信する無線回路と、無線回路を制御して無線通信動作を行う無線通信処理部と、この無線通信動作状態と当該無線通信動作を停止して低消費電流で動作するスリープ動作を行うスリープ状態とを間欠的に切替制御する動作状態制御部と、当該スリープ状態の期間において電源回路を制御して直流電圧変換動作および動作電源の供給を停止させ、無線通信動作状態の期間において電源回路を制御して直流電圧変換動作および動作電源供給を行わせる電源制御部とを有するＣＰＵと、スリープ状態の期間にＣＰＵに対して当該スリープ動作に必要なスリープ動作電源を供給するスリープ電源回路とを備えている。
【００１３】
この際、スリープ電源回路は、無線通信動作状態の期間に電源回路から供給された動作電源を蓄電し、動作電源の停止に応じて当該蓄電電源をスリープ動作電源として供給する容量素子から構成してもよい。
【００１４】
また、スリープ電源回路に、スリープ状態の期間を示すＣＰＵからの制御信号に応じて導通し、電池から供給された電池電源をスリープ動作電源として供給するトランジスタを含むようにしてもよい。
【発明の効果】
【００１５】
本発明によれば、スリープ状態の期間において電源回路１１の動作を完全に停止させることができる。このため、電池で動作して、低消費電流のスリープ状態を挟んで間欠的に無線通信を行う場合でも、直流電圧変換方式の電源回路における無駄な消費電力を抑止することが可能となる。
【図面の簡単な説明】
【００１６】
【図１】第１の実施の形態にかかる無線装置の構成を示すブロック図である。
【図２】第１の実施の形態にかかる無線装置の無線通信処理を示すフローチャートである。
【図３】第１の実施の形態にかかる無線装置の動作を示す信号波形図である。
【図４】第２の実施の形態にかかる無線装置の構成を示すブロック図である。
【図５】第２の実施の形態にかかる無線装置の動作を示す信号波形図である。
【発明を実施するための形態】
【００１７】
次に、本発明の実施の形態について図面を参照して説明する。
［第１の実施の形態］
まず、図１を参照して、本発明の第１の実施の形態にかかる無線装置について説明する。図１は、第１の実施の形態にかかる無線装置の構成を示すブロック図である。
【００１８】
この無線装置１０は、間欠的に無線通信を行う機能を有しており、例えば、無線センサネットワークのセンサノードとして用いられる。無線センサネットワークは、複数の無線装置に搭載されているセンサ機能で事象を検知し、無線通信を介して各無線装置から通知された事象を管理装置で収集するシステムである。
このような無線センサネットワークが適用されるアプリケーションとしては、水道，電気，ガスの検針、プラント，工場，建物の設備定期検査、火災，地震，有害ガスなどの緊急通報、不審者進入監視のためのセキュリティシステム、架橋披露破壊の診断検査などのアプリケーションがある。
【００１９】
無線装置１０には、主な回路部として、電源回路１１、無線回路１２、ＣＰＵ１３、およびスリープ電源回路１４が設けられている。
【００２０】
本実施の形態は、ＣＰＵ１３で、スリープ状態の期間において電源回路１１を制御して直流電圧変換動作および動作電源の供給を停止させ、無線通信動作状態の期間において電源回路１１を制御して直流電圧変換動作および動作電源の供給を行わせ、スリープ電源回路１４で、スリープ状態の期間にＣＰＵ１３に対して当該スリープ動作に必要なスリープ動作電源を供給するようにしたものである。
なお、本実施の形態では、スリープ状態の期間において、ＣＰＵ１３に対してスリープ動作電源を供給する場合を例として説明するが、ＣＰＵ１３と無線回路１２の両方にスリープ動作電源を供給するようにしてもよい。
【００２１】
［無線装置の構成］
次に、図１を参照して、本実施の形態にかかる無線装置の構成について詳細に説明する。
電源回路１１は、電池ＢＡＴから入力端子Ｖｉｎへ供給された電池電圧Ｖｂを直流電圧変換し、得られた動作電源を出力端子Ｖｏｕｔから供給する回路部である。電源回路１１に設けられている制御入力端子ＥＮは、外部から電源回路１１の直流電圧変換動作および動作電源供給の実行を制御するための入力端子である。
【００２２】
この制御入力端子ＥＮにＨレベルの制御信号ＰＣが入力された場合、電源回路１１は、直流電圧変換動作を開始して動作電源の供給を開始し、制御入力端子ＥＮにＬレベルの制御信号ＰＣが入力された場合、直流電圧変換動作を停止して動作電源の供給を停止する。市販されている直流電圧変換方式の電源回路には、このような制御入力端子ＥＮを用いた動作制御機能を持つものがあり（非特許文献１など参照）、本発明では、このような公知の電源回路を利用すればよい。
【００２３】
無線回路１２は、電源線ＰＬと接地電位ＧＮＤとの間に接続されて、電源回路１１から電源線ＰＬを介して供給された動作電源で動作して、ＣＰＵ１３から出力された送信テータを、アンテナから無線電波で送信する回路部である。なお、本実施の形態では、無線回路１２から無線送信のみを間欠的に行う場合を例として説明するが、無線送信に代えて無線受信のみを間欠的に行う場合、さらには無線送受信を間欠的に行う場合にも、本発明を同様にして適用できる。
【００２４】
ＣＰＵ１３は、ＣＰＵ１３内部あるいは周辺回路の半導体メモリに記憶されているプログラムを読み込んで実行することにより、各種処理部を実現する演算処理回路である。ＣＰＵ１３は、電源線ＰＬと接地電位ＧＮＤとの間に接続されており、無線通信動作の期間において、電源回路１１から電源線ＰＬを介して供給された動作電源で動作し、スリープ状態の期間において、スリープ電源回路１４から電源線ＰＬを介して供給されたスリープ動作電源で動作する。
ＣＰＵ１３で実現される主な処理部として、無線通信処理部１３Ａ、動作状態制御部１３Ｂ、および電源制御部１３Ｃが設けられている。
【００２５】
無線通信処理部１３Ａは、無線通信動作状態において、無線回路１２を制御して無線通信動作を行う機能を有している。
動作状態制御部１３Ｂは、ＣＰＵ１３に設けられた内部タイマーを利用して、無線通信動作状態と当該無線通信動作を停止して低消費電流で動作するスリープ動作を行うスリープ状態とを、間欠的に切替制御する機能を有している。
【００２６】
電源制御部１３Ｃは、当該スリープ状態の期間において電源回路を制御して直流電圧変換動作および動作電源の供給を停止させ、無線通信動作状態の期間において電源回路を制御して直流電圧変換動作および動作電源を供給させる機能を有している。
なお、ＣＰＵ１３のスリープ機能は、市販されている一般的なＣＰＵに搭載されている機能を利用すればよい。
【００２７】
スリープ電源回路１４は、スリープ状態の期間にＣＰＵに対して当該スリープ動作に必要なスリープ動作電源を供給する回路部である。
本実施の形態において、スリープ電源回路１４は、電源回路１１からＣＰＵ１３へ動作電源が供給される電源線ＰＬと接地電位ＧＮＤとの間に接続されて、無線通信動作状態の期間に電源回路１１から供給された動作電源を蓄電し、動作電源の停止に応じて当該蓄電電源をスリープ動作電源として供給する容量素子Ｃから構成されている。
【００２８】
［第１の実施の形態の動作］
次に、図２および図３を参照して、本実施の形態にかかる無線装置の動作について説明する。図２は、第１の実施の形態にかかる無線装置の無線通信処理を示すフローチャートである。図３は、第１の実施の形態にかかる無線装置の動作を示す信号波形図である。
ここでは、無線通信の間欠動作周期がＴｃで、無線通信動作に要する動作時間がＴｒである場合について説明する。
【００２９】
ＣＰＵ１３の動作状態制御部１３Ｂは、ＣＰＵ１３内部のタイマーを用いて間欠動作周期Ｔｃを常時計時しており、タイマーがタイムアップして無線通信タイミングが到来するごとに、図２の無線通信処理を実行する。また、無線通信処理が終了した後、動作状態制御部１３Ｂは、次の無線通信タイミングが到来するまで、ＣＰＵ１３を低消費電流で動作するスリープ状態へ移行させる。
【００３０】
時刻Ｔ０において、無線通信タイミングが到来した場合、動作状態制御部１３Ｂは、ＣＰＵ１３内部の動作管理フラグを切替設定することにより、ＣＰＵ１３の動作状態を、低消費電流で動作するスリープ状態から、通常の消費電流で動作して無線通信動作を行う無線通信動作状態へ復帰させる（ステップ１００）。
【００３１】
次に、電源制御部１３Ｃは、制御信号ＰＣをＬ（Ｌｏｗ）レベルからＨ（Ｈｉｇｈ）レベルへ変化させることにより、電源回路１１に対して、直流電圧変換動作および動作電源供給の実行を指示する（ステップ１０１）。
電源回路１１は、制御入力端子ＥＮに入力されている制御信号ＰＣがＬレベルからＨレベルに変化したことを契機として、直流電圧変換動作を開始して、電池ＢＡＴから入力端子Ｖｉｎへ供給された電池電圧Ｖｂを直流電圧変換し、得られた動作電源を出力端子Ｖｏｕｔから供給する。
【００３２】
電源回路１１から供給が開始された動作電源は、ダイオードＤ１と電源線ＰＬとを介して、スリープ電源回路１４およびＣＰＵ１３へ供給される。ダイオードＤ１は、スリープ状態の期間において、電源回路１１の出力端子Ｖｏｕｔの電圧が、スリープ電源回路１４の容量素子Ｃの両端電圧Ｖｓより低くなった際に、電流が容量素子Ｃから出力端子Ｖｏｕｔへ逆流するのを防止する逆流防止用のダイオードである。なお、電源回路１１内部で逆流対策が講じられている場合、ダイオードＤ１は不要である。
【００３３】
スリープ電源回路１４の容量素子Ｃは、電源線ＰＬを介して供給された動作電源を蓄電する。
また、ＣＰＵ１３と無線回路１２は、電源線ＰＬを介して供給された動作電源で、通常の消費電流で動作を開始して、無線通信処理部１３Ａにより無線回路１２を用いた無線通信動作を実行する（ステップ１０２）。これにより、例えば、無線センサネットワークの場合、無線装置１０に設けられているセンサで検知した事象が、無線通信により管理装置へ通知される。
【００３４】
時刻Ｔ０から動作時間Ｔｒだけ経過した時刻Ｔ１において、このような無線通信動作が終了した場合、電源制御部１３Ｃは、制御信号ＰＣをＨレベルからＬレベルへ変化させることにより、電源回路１１に対して、直流電圧変換動作および動作電源供給の停止を指示する（ステップ１０３）。
また、動作状態制御部１３Ｂは、ＣＰＵ１３内部の動作管理フラグを切替設定することにより、ＣＰＵ１３の動作状態を、通常の消費電流で動作して無線通信動作を行う無線通信動作状態から、低消費電流で動作するスリープ状態へ移行させ（ステップ１０４）、一連の無線通信処理を終了する。
【００３５】
したがって、図３に示すように、時刻Ｔ０から時刻Ｔ１までの無線通信動作の期間において、電源回路１１から電源線ＰＬへ動作電源が供給されるため、容量素子Ｃが徐々に蓄電される。
また、時刻Ｔ１以降は、スリープ状態の期間となるため、電源回路１１からの動作電源の供給が停止される。これにより、電源回路１１からの動作電源に代わって容量素子Ｃに蓄電された蓄電電源が、スリープ動作電源としてＣＰＵ１３へ供給される。
【００３６】
この際、ＣＰＵ１３および無線回路１２へ供給される供給電圧Ｖｃは、時刻Ｔ０の時の電圧Ｖ１から電圧Ｖ０まで徐々に上昇する。この際、供給電圧Ｖｃと電源回路１１からの動作電源の動作電源電圧Ｖｐとは等しく変化する。
一方、時刻Ｔ１以降、時刻Ｔ０から間欠動作周期Ｔｃ経過した時刻Ｔ２において、無線通信タイミングが到来するまで、供給電圧Ｖｃは、容量素子Ｃの両端電圧であるスリープ動作電源電圧Ｖｓと等しくなり、ＣＰＵ１３での消費電流Ｉｃがスリープ電流Ｉｓまで低下する。
【００３７】
したがって、容量素子Ｃの容量は、スリープ状態が終了する時刻Ｔ２において、ＣＰＵ１３のスリープ動作に必要なスリープ電流と最低動作電圧とからなるスリープ動作電源を供給できる容量を持っていればよい。
【００３８】
ここで、ＣＰＵ１３のスリープ動作に必要なスリープ電流をＩｓとし、最低動作電圧をＶ１とし、スリープ動作の開始時点である時刻Ｔ１におけるスリープ動作電源電圧ＶｓをＶ０、スリープ状態の時間を示すスリープ期間Ｔｓ（＝Ｔｃ−Ｔｒ≒Ｔｃ）とし、スリープ状態の期間において、スリープ電流Ｉｓが一定であると見なした場合、容量素子Ｃの容量Ｃは、Ｃ＝Ｔｓ×Ｉｓ／（Ｖ０−Ｖ１）で求められる。例えば、Ｖ０＝２．５Ｖ、Ｖ１＝１．８Ｖ、Ｔｓ＝６０ｓ、Ｉｓ＝３μＡの場合、容量Ｃ＝２５７μＦとなる。
このようにして算出した容量の容量素子Ｃをスリープ電源回路１４として用いることにより、容量素子Ｃの大きさや部品コストを最小限に抑えることが可能となる。
【００３９】
［第１の実施の形態の効果］
このように、本実施の形態では、ＣＰＵ１３で、スリープ状態の期間において電源回路１１を制御して直流電圧変換動作および動作電源の供給を停止させ、無線通信動作状態の期間において電源回路１１を制御して直流電圧変換動作および動作電源の供給を行わせ、スリープ電源回路１４で、スリープ状態の期間にＣＰＵ１３に対して当該スリープ動作に必要なスリープ動作電源を供給するようにしたので、スリープ状態の期間において電源回路１１の動作を完全に停止させることができる。このため、電池で動作して、低消費電流のスリープ状態を挟んで間欠的に無線通信を行う場合でも、直流電圧変換方式の電源回路における無駄な消費電力を抑止することが可能となる。
【００４０】
また、本実施の形態では、スリープ電源回路１４として、無線通信動作状態の期間に電源回路から供給された動作電源を蓄電し、動作電源の停止に応じて当該蓄電電源をスリープ動作電源として供給する容量素子を用いるようにしたので、極めて簡素な回路素子で、スリープ電源回路１４を実現でき、無線装置１０における回路規模の増大やコストアップを抑制することができる。
【００４１】
［第２の実施の形態］
次に、図４を参照して、本発明の第２の実施の形態にかかる無線装置について説明する。図４は、第２の実施の形態にかかる無線装置の構成を示すブロック図であり、図１と同じまたは同等部分には同一符号を付してある。
【００４２】
第１の実施の形態では、無線通信動作状態の期間に電源回路１１から供給された動作電源を、スリープ電源回路１４の容量素子Ｃに蓄電しておき、スリープ状態の期間において、電源回路１１からの動作電源の供給を停止するとともに、容量素子Ｃに蓄電しておいた蓄電電源をスリープ動作電源としてＣＰＵ１３へ供給する場合を例として説明した。
本実施の形態では、スリープ状態の期間において、電源回路１１からの動作電源の供給を停止するとともに、電池ＢＡＴの電池電源をスリープ動作電源としてＣＰＵ１３へ供給する場合について説明する。
【００４３】
本実施の形態のスリープ電源回路１４は、図４に示すように、ＣＰＵ１３からの制御信号ＰＣに応じてオンオフ動作することにより、スリープ状態の期間において、電池ＢＡＴの電池電源をスリープ動作電源として電源線ＰＬを介してＣＰＵ１３へ供給し、無線通信動作状態の期間において、スリープ動作電源の供給を停止するトランジスタＱから構成されている。
【００４４】
図４の回路構成例では、トランジスタＱとして、ＰＭＯＳＦＥＴが用いられており、ゲート端子に制御信号ＰＣが接続されている。また、ソース端子とゲート端子との間に抵抗素子Ｒが接続されている。またソース端子に、ダイオードＤ２を介して電池ＢＡＴから電池電源が供給されており、ドレイン端子が電源線ＰＬに接続されている。ダイオードＤ２は、電源線ＰＬから電池ＢＡＴへの電流逆流を防止する逆流防止用のダイオードである。電池ＢＡＴ内部で逆流対策が講じられている場合、ダイオードＤ２は不要である。
なお、本実施の形態にかかる無線装置の他の回路部については、第１の実施の形態と同様であり、ここでの詳細な説明は省略する。
【００４５】
［第２の実施の形態の動作］
次に、図５を参照して、本実施の形態にかかる無線装置の動作について説明する。図５は、第２の実施の形態にかかる無線装置の動作を示す信号波形図である。なお、本実施の形態にかかる無線装置の無線通信処理は、前述した図２と同様であり、ここでの詳細な説明は省略する。
【００４６】
時刻Ｔ１以降のスリープ状態の期間において、制御信号ＰＣがＬレベルに制御されるため、トランジスタＱが導通し、電池ＢＡＴの電池電源がスリープ動作電源として、電源線ＰＬを介してＣＰＵ１３へ供給される。
また、無線動作状態の期間において、制御信号ＰＣがＨレベルに制御されるため、トランジスタＱが非導通となり、電池ＢＡＴの電池電源を用いたスリープ動作電源の供給が停止される。
【００４７】
したがって、図３に示すように、時刻Ｔ０から時刻Ｔ１までの無線通信動作の期間において、電源回路１１から電源線ＰＬへ動作電源が供給されるため、供給電圧Ｖｃは電源回路１１からの動作電源の動作電源電圧Ｖｐとは等しくなる。
一方、時刻Ｔ１以降、時刻Ｔ０から間欠動作周期Ｔｃ経過した時刻Ｔ２において、無線通信タイミングが到来するまで、電源回路１１からの動作電源が停止されて、スリープ電源回路１４から電源線ＰＬへスリープ電源が供給されるため、供給電圧Ｖｃはスリープ電源のスリープ動作電源電圧Ｖｓと等しくなる。
【００４８】
なお、図５の例では、電池ＢＡＴの電池電圧Ｖｂが、無線通信動作の期間において、電源回路１１から電源線ＰＬへ供給される動作電源電圧Ｖｐより低い場合を例として説明されているが、これに限定されるものではなく、電池電圧Ｖｂが動作電源電圧Ｖｐより高い場合でも、前述と同様にして本実施の形態を適用できる。
【００４９】
［第２の実施の形態の効果］
このように、本実施の形態は、スリープ電源回路１４として、スリープ状態の期間を示すＣＰＵからの制御信号に応じて導通し、電池ＢＡＴから供給された電池電源をスリープ動作電源として供給するトランジスタから構成したので、第１の実施の形態と同様に、スリープ状態の期間において電源回路１１の動作を完全に停止させることができる。このため、電池で動作して、低消費電流のスリープ状態を挟んで間欠的に無線通信を行う場合でも、直流電圧変換方式の電源回路における無駄な消費電力を抑止することが可能となる。
【００５０】
また、本実施の形態によれば、スリープ状態の期間については、電池ＢＡＴから供給された電池電源をスリープ動作電源として供給することができ、スリープ状態の期間長が比較的長い場合でも、スリープ動作電源を安定供給できる。また、第１の実施の形態では容量素子Ｃを用いているため、スリープ状態の期間が長くなるに連れて、大きな容量が必要となり、回路面積や部品コストが増大するが、本実施の形態によれば、スリープ状態の期間が長くなっても、回路面積や部品コストは増大しない。
【００５１】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００５２】
１０…無線装置、１１…電源回路、１２…無線回路、１３…ＣＰＵ、１３Ａ…無線通信処理部、１３Ｂ…動作状態制御部、１３Ｃ…電源制御部、１４…スリープ電源回路、ＢＡＴ…電池、Ｃ…容量素子、Ｄ１，Ｄ２…ダイオード、Ｑ…トランジスタ、ＰＣ…制御信号、ＰＬ…電源線。
【図１】
2011055186.tif 000003
【図２】
2011055186.tif 000004
【図３】
2011055186.tif 000005
【図４】
2011055186.tif 000006
【図５】
2011055186.tif 000007